(57)【特許請求の範囲】
【請求項１】
長手方向と、幅方向と、厚み方向とを有している吸収性物品であって、
前記厚み方向において非肌当接面側に設けられているバックシートの下着当接面側に接着剤が塗布されており、
香料が含まれており、
前記厚み方向において、前記接着剤が塗布されている領域と前記香料が含まれている領域との間に、エチレンビニルアルコール共重合樹脂、ポリビニルアルコール、ポリ塩化ビニリデン、ポリアミド、ポリエステル、ポリ塩化ビニル、アルミニウム被着フィルム及びアルミ箔、揮発性不透過性ラッカーでコーティングされたポリマーフィルム、又は、これらの混合物から成る群から選択される材料によって構成されている層を有しており、
平面視において、前記接着剤が塗布されている領域と前記香料が含まれている領域とが重複しており、
前記吸収性物品は、前記長手方向に延びる２本の折り線に沿って前記幅方向の内側に折り畳まれるように構成されており、
前記香料が含まれている領域は、前記２本の折り線よりも前記幅方向の内側に設けられており、
前記層は、前記香料が含まれている領域及び前記２本の折り線よりも前記幅方向の外側に延出するように構成されていることを特徴とする吸収性物品。
【請求項２】
前記層は、前記バックシートによって構成されていることを特徴とする請求項１に記載の吸収性物品。
【請求項３】
前記層は、前記バックシートとは別に設けられていることを特徴とする請求項１に記載の吸収性物品。
【請求項４】
前記材料は、酸素を１気圧下において２４時間で１ｍ２の範囲を２００ｃｍ３以下しか透過さない透過度を有しており、
前記材料の厚さは、０.０２ｍｍから１.００ｍｍの範囲内にあり、
前記材料の重量は、１８.０ｇ/ｍ２から７０.０ｇ/ｍ２の範囲内にあることを特徴とする請求項１乃至３の何れか一項に記載の吸収性物品。
【発明の詳細な説明】
【技術分野】
【０００１】
本発明は、吸収性物品に関する。
【背景技術】
【０００２】
従来から、香料が含まれている生理用ナプキンが知られている。ここで、特許文献１には、このような生理用ナプキンにおいて、香料が個包装の外部に漏れ減少してしまうという問題を防ぐための技術が開示されている。
【先行技術文献】
【特許文献】
【０００３】
【特許文献１】中国特許公告番号：ＣＮ１００５３１６９１Ｃ
【発明の概要】
【発明が解決しようとする課題】
【０００４】
しかしながら、特許文献１に開示されている生理用ナプキンには、以下のような問題点があった。
【０００５】
かかる生理用ナプキンでは、個包装内において、かかる生理用ナプキンから漏れた香料が、かかる生理用ナプキンの下着当接面側に塗布されている接着剤と接触することになる。
【０００６】
ここで、かかる生理用ナプキンに含まれている香料には、通常、大量のアルコール類やエステル類やケトン類等の化学物質が含まれており、かかる化学物質の中には、沸点が低い成分もある。一方、通常、上述の接着剤としては、ゴム系のホットメルト型接着剤が用いられる。
【０００７】
したがって、香料に含まれている沸点が低い成分は、上述の接着剤に容易く吸着されて溶解されてしまう。その結果、かかる接着剤は、柔らかくなり凝集力も下がるため、かかる生理用ナプキンが使用された後に、下着に残ってしまうリスクが発生する。
【０００８】
そこで、本発明は、上述の課題に鑑みてなされたものであり、香料が含まれている場合であっても、使用後に、下着当接面側に塗布されている接着剤が下着に残ってしまうリスクを低減させることができる吸収性物品を提供することを目的とする。
【課題を解決するための手段】
【０００９】
本発明の第１の特徴は、長手方向と、幅方向と、厚み方向とを有している吸収性物品であって、前記厚み方向において非肌当接面側に設けられているバックシートの下着当接面側に接着剤が塗布されており、香料が含まれており、前記厚み方向において、前記接着剤が塗布されている領域と前記香料が含まれている領域との間に、エチレンビニルアルコール共重合樹脂、ポリビニルアルコール、ポリ塩化ビニリデン、ポリアミド、ポリエステル、ポリ塩化ビニル、アルミニウム被着フィルム及びアルミ箔、揮発性不透過性ラッカーでコーティングされたポリマーフィルム、又は、これらの混合物から成る群から選択される材料によって構成されている層を有しており、平面視において、前記層と前記接着剤が塗布されている領域と前記香料が含まれている領域とが重複していることを要旨とする。
【発明の効果】
【００１０】
以上説明したように、本発明によれば、香料が含まれている場合であっても、使用後に、下着当接面側に塗布されている接着剤が下着に残ってしまうリスクを低減させることができる吸収性物品を提供することができる。
【図面の簡単な説明】
【００１１】
【図１】本発明の第１の実施形態に係る吸収性物品の肌当接面側から見た平面図である。
【図２】図１におけるＸ-Ｘ断面図である。
【図３】本発明の第１の実施形態に係る吸収性物品の折り畳み方法を説明するための図である。
【発明を実施するための形態】
【００１２】
図１乃至図３を参照して、本発明の第１の実施形態に係る吸収性物品１について説明する。
【００１３】
なお、以下の図面の記載において、同一又は類似の部分には、同一又は類似の符号を付している。ただし、図面は模式的なものであり、各寸法の比率等は現実のものとは異なることに留意すべきである。
【００１４】
したがって、具体的な寸法等は、以下の説明を参酌して判断すべきである。また、図面相互間においても互いの寸法の関係や比率が異なる部分が含まれ得る。
【００１５】
図１に、本実施形態に係る吸収性物品１の肌当接面側から見た平面図を示し、図２に、図１におけるＸ-Ｘ断面図を示し、図３に、本実施形態に係る吸収性物品１の折り畳み方法を示す。
【００１６】
本実施形態では、吸収性物品１として、下着内に装着して使用する生理用ナプキンを例に挙げて説明するが、本発明は、かかるケースに限定されるものではなく、パンティライナー等の任意の吸収性物品に適用可能である。
【００１７】
本実施形態に係る吸収性物品１は、図１及び図２に示すように、互いに直交する長手方向Ｌ、幅方向Ｗ及び厚み方向Ｔを有している。
【００１８】
また、本実施形態に係る吸収性物品１は、図２に示すように、肌当接面側に設けられている液透過性のトップシート１１と、下着当接面側（非肌当接面側）に設けられている液不透過性のバックシート１２と、トップシート１１とバックシート１２との間に設けられている吸収体１３とを具備している。
【００１９】
また、本実施形態に係る吸収性物品１は、図２に示すように、トップシート１１の幅方向Ｗの外側に延出するように設けられているサイドシート１４を具備している。
【００２０】
なお、本実施形態に係る吸収性物品１は、図２に示すように、トップシート１１と吸収体１３との間にセカンドシート２１を具備していてもよいし、吸収体１３とバックシート１２との間にセカンドシート２２を具備していてもよい。
【００２１】
ここで、本実施形態に係る吸収性物品１において、トップシート１１、セカンドシート２１、吸収体１３、セカンドシート２２及びバックシート１２は、それぞれ分離しないように接合されていることが好ましい。かかる接合は、例えば、エンボス加工処理や超音波処理やホットメルト型接着剤等を単独若しくは組み合わせて使用することによって実現されている。
【００２２】
かかるホットメルト型接着剤としては、ＳＩＳ（スチレン‐イソプレン‐スチレン共重合体）や、ＳＢＳ（スチレン‐ブタジエン‐スチレン共重合体）や、ＳＥＢＳ（スチレン‐エチレン‐ブチレン‐スチレン共重合体）等のゴム系や直鎖状低密度ポリエチレン等のオレフィン系を主体とした感圧型接着剤や、感熱型接着剤や、水溶性高分子からなるポリビニルアルコールや、カルボキシルメチルセルロースや、ゼラチン等、或いは、水膨潤性高分子からなるポリビニルアセテートやポリアクリル酸ナトリウム等の感水性接着剤が例として挙げられる。
【００２３】
中でも、万が一、外面に滲み出してしまったとしても、その時点ではタック性を有さない感熱型接着剤を用いることが好ましい。
【００２４】
具体的な例としては、ＳＥＢＳを５〜２５％、脂環族飽和炭化水素を４０〜６０％、芳香族変性テルペンを１〜１０％、添加剤を１５〜３５％で溶融混合したものが挙げられる。
【００２５】
図１に示すように、本実施形態に係る吸収性物品１では、エンボス加工処理によって圧搾領域１００が形成されていてもよい。
【００２６】
さらに、本実施形態に係る吸収性物品１では、図２に示すように、厚み方向Ｔにおいてバックシート１２の下着当接面側に接着剤１５が塗布されている。かかる接着剤１５は、吸収性物品１を着用者の下着に固定する役割を果たすものである。なお、吸収性物品１が包装されている状態において、かかる接着剤１５は、セパレータ等によって覆われている。
【００２７】
かかる接着剤１５としては、ＳＩＳや、ＳＢＳや、ＳＥＢＳ等のゴム系の感圧型接着剤が用いられてもよい。具体的な例としては、ＳＢＳ及びＳＩＳを５〜２５％、脂環族飽和炭化水素を４０〜６０％、芳香族変性テルペンを１〜１０％、添加剤を１５〜３５％で溶融混合したものが挙げられる。
【００２８】
また、本実施形態に係る吸収性物品１には、香料３０が含まれている。図２に示すように、本実施形態に係る吸収性物品１では、かかる香料３０は、セカンドシート２１の肌当接面側（吸収体１３側）に塗布されている。
【００２９】
具体的には、例えば、かかる香料としては、「Ｈｅｘｙｌ  Ｃｉｎｎａｍｉｃ  Ａｌｄｅｈｙｄｅ」、「Ｌｉｌｉａｌ」、「Ｌｉｎａｌｏｏｌ」、「Ｄｉｐｒｏｐｙｌｅｎｅ（溶媒）」を上位４成分とする化学物質を用いることができる。
【００３０】
或いは、かかる香料として、「Ｌｉｎａｌｏｏｌ」、「Ｍｅｔｈｙｌ  ｄｅｈｙｄｏｒｊａｓｍｏｎａｔｅ（デヒドロジャスモン酸メチル）」、「Ｂｅｎｚｙｌ  Ａｃｅｔａｔｅ」、「Ｄｉｐｒｏｐｙｌｅｎｅ  Ｇｌｙｃｏｌ（溶媒）」を上位４成分とする化学物質を用いることができる。
【００３１】
また、これらの化学物質に、エッセンシャルオイル（例えば、ペパーミントやレモン）を配合してもよい。
【００３２】
なお、かかる香料３０は、トップシート１１の肌当接面側（吸収体１３側）に塗布されていてもよいし、セカンドシート２２の肌当接面側（吸収体１３側）に塗布されていてもよい。
【００３３】
また、本実施形態に係る吸収性物品１は、厚み方向Ｔにおいて、接着剤１５が塗布されている領域と香料３０が含まれている領域との間に、エチレンビニルアルコール共重合樹脂、ポリビニルアルコール、ポリ塩化ビニリデン、ポリアミド、ポリエステル、ポリ塩化ビニル、アルミニウム被着フィルム及びアルミ箔、揮発性不透過性ラッカーでコーティングされたポリマーフィルム、又は、これらの混合物から成る群から選択される材料によって構成されている層を有している。
【００３４】
かかる構成によれば、吸収性物品１が折り畳まれた後、かかる層によって香料３０を包み込むことができるため、使用前に、香料３０が外部に放出してしまうという事態を回避することができる。
【００３５】
また、かかる構成によれば、香料３０と接着剤１５との接触を回避することができるので、接着剤１５の性能に対して影響を与えずに済むため、使用後に、下着当接面側に塗布されている接着剤１５が下着に残ってしまうというリスクを低減することができる。
【００３６】
本実施形態に係る吸収性物品１では、図２に示すように、かかる層は、バックシート１２によって構成されている。
【００３７】
かかる構成によれば、吸収性物品１に新たな部材を設けることなく、使用後に、下着当接面側に塗布されている接着剤１５が下着に残ってしまうというリスクをより確実に低減することができる。
【００３８】
或いは、本実施形態に係る吸収性物品１において、かかるバックシート１２とは別に設けられていてもよい。
【００３９】
かかる構成によれば、バックシート１２の性能に影響を与えることなく、使用後に、下着当接面側に塗布されている接着剤１５が下着に残ってしまうというリスクをより確実に低減することができる。
【００４０】
なお、かかる層は、トップシート１１とセカンドシート２１との間に設けられていてもよいし、セカンドシート２１と吸収体１３との間に設けられていてもよいし、吸収体１３とセカンドシート２２との間に設けられていてもよいし、セカンドシート２２とバックシート１２との間に設けられていてもよい。なお、セカンドシート２１が設けられていない場合には、かかる層は、トップシート１１と吸収体１３との間に設けられていてもよい。また、セカンドシート２２が設けられていない場合には、かかる層は、吸収体１３とバックシート１２との間に設けられていてもよい。
【００４１】
また、かかる層を構成する材料は、酸素を１気圧下において２４時間で１ｍ２の範囲を２００ｃｍ３以下しか透過さない透過度を有していることが好ましい。
【００４２】
ここで、かかる透過度については、「ＪＩＳ  Ｋ  ７１７６-２」に規定されている酸素透過度（等圧法）によって測定することができる。
【００４３】
なお、かかる透過度を有する材料を形成するための多くの周知技術が存在しているため、それらの周知技術のうちの任意の技術を用いて、かかる材料を形成することができる。
【００４４】
また、かかる材料の厚さは、０.０２ｍｍから１.００ｍｍの範囲内にあり、かかる材料の重量は、１８.０ｇ/ｍ２から７０.０ｇ/ｍ２の範囲内にあることが好ましい。
【００４５】
かかる構成によれば、接着剤１５に影響を与える程度の香料３０の放出を阻止することができる。すなわち、かかる構成によれば、香料３０の接着剤１５への吸着を１％未満に抑えることができる。また、接着剤１５の接合強度がバックシート１２の強度よりも強い場合、バックシート１２が破れることで、下着への接着剤１５の糊残りが発生する懸念が高いことが分かっている。
【００４６】
さらに、本実施形態に係る吸収性物品１は、図３（ａ）〜図３（ｃ）に示すように、長手方向Ｌに延びる２本の折り線Ｆ１/Ｆ２に沿って幅方向Ｗの内側に折り畳まれるように構成されていてもよい。
【００４７】
また、本実施形態に係る吸収性物品１は、図３（ｄ）及び図３（ｅ）に示すように、幅方向Ｗに延びる２本の折り線Ｆ３/Ｆ４に沿って長手方向Ｌの内側に折り畳まれるように構成されていてもよい。
【００４８】
本実施形態１に係る吸収性物品１では、図１に示すように、香料３０が含まれている領域は、２本の折り線Ｆ１/Ｆ２よりも幅方向Ｗの内側に設けられている。
【００４９】
かかる構成によれば、吸収性物品１が折り畳まれた後、サイドシート１４によっても香料３０を包み込むことができるため、より香料３０と接着剤１５との接触を回避することができる。
【００５０】
例えば、かかる香料３０が含まれている領域は、２本の折り線Ｆ１/Ｆ２よりも幅方向Ｗの内側の全面に設けられていてもよいし、２本の折り線Ｆ１/Ｆ２よりも幅方向Ｗの内側の一部分に設けられていてもよい（図１参照）。さらに、後者の場合、かかる香料３０が含まれている領域は、吸収性物品１の幅方向Ｗの中央線Ｏ付近の一部分に設けられていてもよいし（図１参照）、２本の折り線Ｆ１/Ｆ２付近の一部分に設けられていてもよい。
【符号の説明】
【００５１】
１…吸収性物品
１１…トップシート
１２…バックシート
１３…吸収体
１４…サイドシート
１５…接着剤
２１、２２…セカンドシート
３０…香料
１００…圧縮領域
Ｆ１、Ｆ２、Ｆ３、Ｆ４…折り線
【要約】
【課題】香料３０が含まれている場合であっても、使用後に、下着当接面側に塗布されている接着剤が下着に残ってしまうリスクを低減させる。
【解決手段】本実施形態に係る吸収性物品１では、厚み方向Ｔにおいて、接着剤１５が塗布されている領域と香料３０が含まれている領域との間に、エチレンビニルアルコール共重合樹脂、ポリビニルアルコール、ポリ塩化ビニリデン、ポリアミド、ポリエステル、ポリ塩化ビニル、アルミニウム被着フィルム及びアルミ箔、揮発性不透過性ラッカーでコーティングされたポリマーフィルム、又は、これらの混合物から成る群から選択される材料によって構成されている層を有しており、平面視において、かかる層と接着剤１５が塗布されている領域と香料３０が含まれている領域とが重複している。
【選択図】図２【図１】
0005766374.tif 000002
【図２】
0005766374.tif 000003
【図３】
0005766374.tif 000004